(57)【要約】【課題】テレビ番組等のサービス情報の配信を一括管理できるとともに課金決済処理のできるサービス情報配信システム、サービス情報配信方法、及びサービス情報配信用プログラムを提供する。【解決手段】サービス情報配信システム１０を、インターネットを介してサービス情報をクライアントからユーザーへ配信するシステムであり、クライアントが保有するクライアント端末１２と、ユーザーが保有するユーザー端末１４と、クライアント端末１２及びユーザー端末１４にインターネット接続された管理サーバー１６と、管理サーバー１６にインターネット接続された電子銀行２０と、管理サーバー１６にインターネット接続されスポンサーが保有するスポンサー端末２２とを備えて構成した。【選択図】  図１
2004252524.tif 000002
【特許請求の範囲】
【請求項１】
クライアントが保有するクライアント端末と、
ユーザーが保有するユーザー端末と、
該クライアント端末及び該ユーザー端末にインターネット接続された管理サーバーと、を備え、インターネットを介してサービス情報をクライアントからユーザーへ配信するサービス情報配信システムであり、
前記クライアントが、契約データを入力して管理サーバーへ送信する前記クライアント端末内の契約データ入力手段と、
複数の区分表示を含む無料データを前記ユーザー端末へ自動配信する前記管理サーバー内の無料配信手段と、
前記ユーザーが、受信した前記複数の区分表示から選択した選択データを前記管理サーバーへ送信する前記ユーザー端末内の選択手段と、
受信した前記選択データを前記クライアント端末へ自動転送する前記管理サーバー内の選択データ転送手段と、
サービス情報を記憶する前記クライアント端末内のサービス情報記憶手段と、
受信した前記選択データに関係付けられるサービス情報を前記管理サーバーへ自動配信する前記クライアント端末内のサービス情報配信手段と、
受信した前記サービス情報を前記受信した選択データに関係付けられるユーザー端末へ自動転送する前記管理サーバー内のサービス情報転送手段と、
を含むサービス情報配信システム。
【請求項２】
前記管理サーバーにインターネット接続された電子銀行と、該管理サーバーにインターネット接続されスポンサーが保有するスポンサー端末と、を備え、前記管理サーバー内の選択データ転送手段は、受信した選択データを前記電子銀行に自動転送する請求項１に記載するサービス情報配信システムであり、
受信した前記契約データを前記電子銀行へ自動転送する前記管理サーバー内の契約データ転送手段と、
受信した前記契約データに含まれる金額データのクライアント口座データからの差引及び該金額データの管理口座データへの加算を自動的に行う前記電子銀行内のクライアント決済手段と、
受信した前記選択データに含まれる金額データのユーザー口座データからの差引及び該金額データの管理口座データへの加算を自動的に行う前記電子銀行内のユーザー決済手段と、
受信した前記選択データに関係付けられる金額データの管理口座データからの差引及び該金額データのクライアント口座データへの加算を自動的に行う前記電子銀行内の管理決済手段と、
スポンサーが、広告データを前記管理サーバーへ送信する広告送信手段と、
受信した前記広告データを前記電子銀行へ自動転送する前記管理サーバー内の広告データ転送手段と、
受信した前記広告データに関係付けられる金額データのスポンサー口座データからの差引及び該金額データの管理口座データへの加算を自動的に行う前記電子銀行内のスポンサー決済手段と、
を含む請求項１に記載するサービス情報配信システム。
【請求項３】
クライアントが保有するクライアント端末と、ユーザーが保有するユーザー端末と、該クライアント端末及び該ユーザー端末にインターネット接続された管理サーバーと、を使用することにより、インターネットを介してサービス情報をクライアントからユーザーへ配信するサービス情報配信方法であり、
前記クライアントが、前記クライアント端末内の契約データ入力手段に契約データを入力して管理サーバーへ送信するステップと、
前記管理サーバー内の無料配信手段が、複数の区分表示を含む無料データを前記ユーザー端末へ自動配信するステップと、
前記ユーザーが、受信した前記複数の区分表示から選択した選択データを前記ユーザー端末内の選択手段から前記管理サーバーへ送信するステップと、
前記管理サーバー内の選択データ転送手段が、受信した前記選択データを前記クライアント端末へ自動転送するステップと、
前記クライアント端末内のサービス情報記憶手段が、サービス情報を記憶するステップと、
前記クライアント端末内のサービス情報配信手段が、受信した前記選択データに関係付けられるサービス情報を前記管理サーバーへ自動配信するステップと、
前記管理サーバー内のサービス情報転送手段が、受信した前記サービス情報を前記受信した選択データに関係付けられるユーザー端末へ自動転送するステップと、
を含むサービス情報配信方法。
【請求項４】
クライアントが保有するクライアント端末と、ユーザーが保有するユーザー端末と、該クライアント端末及び該ユーザー端末にインターネット接続された管理サーバーと、を使用して、インターネットを介してサービス情報をクライアントからユーザーへ配信するために、該クライアント端末、該ユーザー端末及び該管理サーバーを、
前記クライアントが、契約データを入力して管理サーバーへ送信する前記クライアント端末内の契約データ入力手段、
複数の区分表示を含む無料データを前記ユーザー端末へ自動配信する前記管理サーバー内の無料配信手段、
前記ユーザーが、受信した前記複数の区分表示から選択した選択データを前記管理サーバーへ送信する前記ユーザー端末内の選択手段、
受信した前記選択データを前記クライアント端末へ自動転送する前記管理サーバー内の選択データ転送手段、
サービス情報を記憶する前記クライアント端末内のサービス情報記憶手段、
受信した前記選択データに関係付けられるサービス情報を前記管理サーバーへ自動配信する前記クライアント端末内のサービス情報配信手段、
受信した前記サービス情報を前記受信した選択データに関係付けられるユーザー端末へ自動転送する前記管理サーバー内のサービス情報転送手段、
として機能させるサービス情報配信用プログラム。
【発明の詳細な説明】
【０００１】
【発明の属する技術分野】
本発明は、インターネットを介してデジタルテレビ等へテレビ番組映像等のサービス情報を配信するサービス情報配信システム、サービス情報配信方法、及びサービス情報配信用プログラムに関する。
【０００２】
【従来の技術】
従来から、インターネットを介してテレビ番組を配信するシステムが案出されている（例えば特許文献１参照。）。このシステムは、テレビ番組を保存しておき利用者の要求に応じてテレビ番組を提供することができる。
【０００３】
しかし、従来のシステムは、利用者と提供者との間での通信でのみ成立していたため、テレビ番組の申込み及び配信を一括管理することができなかった。また、課金決済を考慮したシステムではなかった。
【０００４】
【特許文献１】
特開２００２−０６３１７４号公報
【０００５】
【発明が解決しようとする課題】
そこで、本発明者は、このような課題の原因を究明してこのような課題を解決するべく、鋭意研究を重ねた結果、本発明に至ったのである。
【０００６】
すなわち、本発明は、テレビ番組の申込み及び配信を一括管理することができるシステムを提供することを目的とする。また、テレビ番組の申込み及び配信の課金決済を考慮したシステムを提供することを目的とする。
【０００７】
【課題を解決するための手段】
本発明のサービス情報配信システムは、クライアントが保有するクライアント端末と、ユーザーが保有するユーザー端末と、該クライアント端末及び該ユーザー端末にインターネット接続された管理サーバーと、を備え、インターネットを介してサービス情報をクライアントからユーザーへ配信するサービス情報配信システムであり、前記クライアントが、契約データを入力して管理サーバーへ送信する前記クライアント端末内の契約データ入力手段と、複数の区分表示を含む無料データを前記ユーザー端末へ自動配信する前記管理サーバー内の無料配信手段と、前記ユーザーが、受信した前記複数の区分表示から選択した選択データを前記管理サーバーへ送信する前記ユーザー端末内の選択手段と、受信した前記選択データを前記クライアント端末へ自動転送する前記管理サーバー内の選択データ転送手段と、サービス情報を記憶する前記クライアント端末内のサービス情報記憶手段と、受信した前記選択データに関係付けられるサービス情報を前記管理サーバーへ自動配信する前記クライアント端末内のサービス情報配信手段と、受信した前記サービス情報を前記受信した選択データに関係付けられるユーザー端末へ自動転送する前記管理サーバー内のサービス情報転送手段と、を含むを特徴とする。本明細書において、自動配信又は自動転送等は、コンピューターが自ら配信又は転送等を行うことを言う。
【０００８】
本発明のサービス情報配信システムは、前記サービス情報配信システムにおいて、前記管理サーバーにインターネット接続された電子銀行と、該管理サーバーにインターネット接続されスポンサーが保有するスポンサー端末と、を備え、前記管理サーバー内の選択データ転送手段は、受信した選択データを前記電子銀行に自動転送する請求項１に記載するサービス情報配信システムであり、受信した前記契約データを前記電子銀行へ自動転送する前記管理サーバー内の契約データ転送手段と、受信した前記契約データに含まれる金額データのクライアント口座データからの差引及び該金額データの管理口座データへの加算を自動的に行う前記電子銀行内のクライアント決済手段と、受信した前記選択データに含まれる金額データのユーザー口座データからの差引及び該金額データの管理口座データへの加算を自動的に行う前記電子銀行内のユーザー決済手段と、受信した前記選択データに関係付けられる金額データの管理口座データからの差引及び該金額データのクライアント口座データへの加算を自動的に行う前記電子銀行内の管理決済手段と、スポンサーが、広告データを前記管理サーバーへ送信する広告送信手段と、受信した前記広告データを前記電子銀行へ自動転送する前記管理サーバー内の広告データ転送手段と、受信した前記広告データに関係付けられる金額データのスポンサー口座データからの差引及び該金額データの管理口座データへの加算を自動的に行う前記電子銀行内のスポンサー決済手段と、を含むことを特徴とする。本明細書において、電子銀行とは、銀行等に設置された大型コンピューター等であり、決算処理能力のあるコンピューターを言う。また、一のデータに対して関係付けられるデータとは、その一のデータの内容によって特定できるデータを言う。
【０００９】
本発明のサービス情報配信方法は、クライアントが保有するクライアント端末と、ユーザーが保有するユーザー端末と、該クライアント端末及び該ユーザー端末にインターネット接続された管理サーバーと、を使用することにより、インターネットを介してサービス情報をクライアントからユーザーへ配信するサービス情報配信方法であり、前記クライアントが、前記クライアント端末内の契約データ入力手段に契約データを入力して管理サーバーへ送信するステップと、前記管理サーバー内の無料配信手段が、複数の区分表示を含む無料データを前記ユーザー端末へ自動配信するステップと、前記ユーザーが、受信した前記複数の区分表示から選択した選択データを前記ユーザー端末内の選択手段から前記管理サーバーへ送信するステップと、前記管理サーバー内の選択データ転送手段が、受信した前記選択データを前記クライアント端末へ自動転送するステップと、前記クライアント端末内のサービス情報記憶手段が、サービス情報を記憶するステップと、前記クライアント端末内のサービス情報配信手段が、受信した前記選択データに関係付けられるサービス情報を前記管理サーバーへ自動配信するステップと、前記管理サーバー内のサービス情報転送手段が、受信した前記サービス情報を前記受信した選択データに関係付けられるユーザー端末へ自動転送するステップと、を含むことを特徴とする。
【００１０】
本発明のサービス情報配信用プログラムは、クライアントが保有するクライアント端末と、ユーザーが保有するユーザー端末と、該クライアント端末及び該ユーザー端末にインターネット接続された管理サーバーと、を使用して、インターネットを介してサービス情報をクライアントからユーザーへ配信するために、該クライアント端末、該ユーザー端末及び該管理サーバーを、前記クライアントが、契約データを入力して管理サーバーへ送信する前記クライアント端末内の契約データ入力手段、複数の区分表示を含む無料データを前記ユーザー端末へ自動配信する前記管理サーバー内の無料配信手段、前記ユーザーが、受信した前記複数の区分表示から選択した選択データを前記管理サーバーへ送信する前記ユーザー端末内の選択手段、受信した前記選択データを前記クライアント端末へ自動転送する前記管理サーバー内の選択データ転送手段、サービス情報を記憶する前記クライアント端末内のサービス情報記憶手段、受信した前記選択データに関係付けられるサービス情報を前記管理サーバーへ自動配信する前記クライアント端末内のサービス情報配信手段、受信した前記サービス情報を前記受信した選択データに関係付けられるユーザー端末へ自動転送する前記管理サーバー内のサービス情報転送手段、として機能させることを特徴とする。
【００１１】
【発明の実施の形態】
次に、本発明に係るサービス情報配信システム、サービス情報配信方法、及びサービス情報配信用プログラムの実施の形態について、図面に基づいて詳しく説明する。
【００１２】
図１において、符号１０は、本発明のサービス情報配信システムである。
【００１３】
サービス情報配信システム１０は、インターネットを介してサービス情報をクライアントからユーザーへ配信するシステムであり、クライアントが保有するクライアント端末１２と、ユーザーが保有するユーザー端末１４と、クライアント端末１２及びユーザー端末１４にインターネット接続された管理サーバー１６と、管理サーバー１６にインターネット接続された電子銀行２０と、管理サーバー１６にインターネット接続されスポンサーが保有するスポンサー端末２２とを備えている。すなわち、本発明のサービス情報配信システム１０は、図１６に示すように、クライアント、ユーザー、及びスポンサーの間で使用するシステムである。
【００１４】
クライアント端末１２は、図２に示すように、クライアントが契約データを入力して管理サーバー１８へ送信する契約データ入力手段２４と、サービス情報を記憶するサービス情報記憶手段２６と、受信した選択データに関係付けられるサービス情報を管理サーバー１８へ自動配信するサービス情報配信手段２８とを備えている。ユーザー端末１４は、デジタルテレビ又はパーソナルコンピューター等であり、ユーザーが受信した複数の区分表示から選択した選択データを管理サーバーへ送信する選択手段を備えている。
【００１５】
管理サーバー１６は、図３に示すように、複数の区分表示を含む無料データをユーザー端末１４へ自動配信する無料配信手段３０と、受信した選択データをクライアント端末１２へ自動転送する選択データ転送手段３２と、受信したサービス情報を受信した選択データに関係付けられるユーザー端末１４へ自動転送するサービス情報転送手段３４と、受信した契約データを電子銀行２０へ自動転送する管理サーバー１６内の契約データ転送手段３６と、受信した広告データを電子銀行２０へ自動転送する管理サーバー１６内の広告データ転送手段３８とを備えている。
【００１６】
電子銀行２０は、図４に示すように、受信した契約データに含まれる金額データのクライアント口座データからの差引及び金額データの管理口座データへの加算を自動的に行うクライアント決済手段４０と、受信した選択データに含まれる金額データのユーザー口座データからの差引及び金額データの管理口座データへの加算を自動的に行う電子銀行２０内のユーザー決済手段４２と、受信した選択データに関係付けられる金額データの管理口座データからの差引及び金額データのクライアント口座データへの加算を自動的に行う管理決済手段４４と、受信した広告データに関係付けられる金額データのスポンサー口座データからの差引及び金額データの管理口座データへの加算を自動的に行うスポンサー決済手段４６とを備えている。スポンサー端末２２は、スポンサーが広告データを管理サーバーへ送信する広告送信手段を備えている。
【００１７】
なお、本発明のサービス情報配信用プログラムは、クライアント端末１２、ユーザー端末１４及び管理サーバー１６を、契約データ入力手段２４、無料配信手段３０、選択手段、選択データ転送手段３２、サービス情報記憶手段２６、サービス情報配信手段２８、サービス情報転送手段３４として機能させるプログラムである。
【００１８】
このような本発明のサービス情報配信システム１０及びサービス情報配信用プログラムの作用について以下に説明することにより、本発明のサービス情報配信方法について説明する。
【００１９】
ユーザーが管理サーバー１６にユーザー登録しておくと、無料配信手段３０が機能して、例えば図５に示す無料データＡがユーザー端末１４に送信される。無料データＡには、区分表示Ｂが含まれる。区分表示Ｂのデータ構成は図１０及び図１１に示される。区分表示Ｂから「音楽・音声」をクリックすると図６に示す画面が開かれ、「映画・ドラマ」をクリックすると図７に示す画面が開かれる。ユーザーは、これらの画面を見た後に図８に示す画面から題名入力又はカテゴリー選択を行い、抽出した結果が図９に示す画面に表示される。ユーザーが、抽出結果のデータを確認して「購入」をクリックすることにより、このデータが選択データとして管理サーバー１６へ送信される。管理サーバー１６が選択データを電子銀行２０へ転送することにより、電子銀行２０のユーザー決済手段４２が機能してユーザーの口座の決済処理が行われる。このようにして選択データを送信したユーザーには、クライアント端末１２から管理サーバー１６を介して選択した番組等の画像又は音声等が送信される。以上のようなユーザーのアクセスの流れは、図１２に示す。
【００２０】
一方、クライアントにおいては、クライアント端末１２から予め契約データを入力してサービス情報の配信する契約を行っている。この契約データはクライアント端末１２から管理サーバー１６を介して電子銀行２０へ転送され、クライアント決済手段４０が機能してクライアントの口座の決済処理が行われる。このようなクライアントのアクセスの流れは、図１３に示す。
【００２１】
また、スポンサーにおいては、広告データを管理サーバー１６へ送信することにより、電子銀行２０のスポンサー決済手段４６が機能してスポンサーの口座の決済処理が行われる。広告データは、管理サーバー１６において、サービス情報に付加される。また、管理サーバー１６の管理者についても、管理決済手段４４が機能して、その管理者の管理口座の決済処理が行われ、その管理者からクライアントへサービス情報提供料が支払われる。これらスポンサー及び管理者の処理の流れは、図１４及び図１５に示す。
【００２２】
ここで、本発明のサービス情報配信システム１０における金額の流れを、図１６に従って説明する。ユーザーは、サイトから無料データを見て会員になることを選択すると、無料で、又は会費若しくは販売代金の支払によって取得できるサービス情報を受信できるが、会費若しくは販売代金の支払によって取得できるサービス情報の場合、ユーザーは会費若しくは販売代金を支払う。また、会員になっていなくとも、販売代金を支払ってサービス情報を受信できる。クライアントは、手数料を支払って販売代金を受け取る。無料提供のサービス情報の場合は、販売代金を受け取らない。スポンサーは、広告掲載の代償として広告代金を支払う。これらの支払は、電子銀行２０によって自動的に行われる。
【００２３】
以上、本発明の一実施形態について説明したが、本発明のサービス情報配信システムは、その他の形態でも実施し得るものである。
【００２４】
例えば、管理サーバー１６内に、転送する契約データに基づいて自動的に決済処理して処理結果を記録する補助クライアント決済手段と、転送する選択データに基づいて自動的に決済処理して処理結果を記録する補助ユーザー決済手段及び補助管理決済手段と、受信した広告データに基づいて自動的に決済処理して処理結果を記録する補助スポンサー決済手段とを備えても良い。この場合、各補助的な決済手段が電子銀行とは別個に処理して処理結果を記録するため、管理サーバーにおいて決済処理結果を保有できる。また、電子銀行内の決済処理結果と比較してチェックできる。また、管理サーバーにおいて、金銭の流れのシュミレーションを行うことができる。
【００２５】
その他、本発明の技術的範囲には、その趣旨を逸脱しない範囲で当業者の知識に基づき種々なる改良，修正，変形を加えた態様も含まれる。また、同一の作用又は効果が生じる範囲内で、いずれかの発明特定事項を他の技術に置換した形態で実施しても良い。
【００２６】
【発明の効果】
本発明のサービス情報配信システム、サービス情報配信方法、及びサービス情報配信用プログラムによれば、クライアントの契約、ユーザーの申込み及びサービス情報のユーザーへの配信等をサーバーを介して行うことにより、サービス情報の申込み及び配信を一括管理することができる。また、電子銀行によって、クライアント、ユーザー、管理者、スポンサーの決済を自動的に行うことにより、課金決済を一括管理して容易かつ確実に行うことができる。
【図面の簡単な説明】
【図１】本発明のサービス情報配信システムを示す通信構成図である。
【図２】図１のサービス情報配信システムを構成するクライアント端末を示す構成図である。
【図３】図１のサービス情報配信システムを構成する管理サーバーを示す構成図である。
【図４】図１のサービス情報配信システムを構成する電子銀行を示す構成図である。
【図５】図１のサービス情報配信システムを構成するユーザー端末の画面を示す図である。
【図６】図１のサービス情報配信システムを構成するユーザー端末の画面を示す図である。
【図７】図１のサービス情報配信システムを構成するユーザー端末の画面を示す図である。
【図８】図１のサービス情報配信システムを構成するユーザー端末の画面を示す図である。
【図９】図１のサービス情報配信システムを構成するユーザー端末の画面を示す図である。
【図１０】図１のサービス情報配信システムに使用するデータのデータ構造を示す図である。
【図１１】図１のサービス情報配信システムに使用するデータのデータ構造を示す図である。
【図１２】図１のサービス情報配信システムのアクセスの流れを示す図である。
【図１３】図１のサービス情報配信システムのアクセスの流れを示す図である。
【図１４】図１のサービス情報配信システムの構成及びデータの流れを示す図である。
【図１５】図１のサービス情報配信システムの構成及びデータの流れを示す図である。
【図１６】図１のサービス情報配信システムを使用する４者の関係を示す図である。
【符号の説明】
１０：サービス情報配信システム
１２：クライアント端末
１４：ユーザー端末
１６：管理サーバー
２０：電子銀行
２２：スポンサー端末
２４：契約データ入力手段
２６：サービス情報記憶手段
２８：サービス情報配信手段
３０：無料配信手段
３２：選択データ転送手段
３４：サービス情報転送手段
３６：契約データ転送手段
３８：広告データ転送手段
４０：クライアント決算手段
４２：ユーザー決済手段
４４：管理決済手段
４６：スポンサー決済手段
【図１】
2004252524.tif 000003
【図２】
2004252524.tif 000004
【図３】
2004252524.tif 000005
【図４】
2004252524.tif 000006
【図５】
2004252524.tif 000007
【図６】
2004252524.tif 000008
【図７】
2004252524.tif 000009
【図８】
2004252524.tif 000010
【図９】
2004252524.tif 000011
【図１０】
2004252524.tif 000012
【図１１】
2004252524.tif 000013
【図１２】
2004252524.tif 000014
【図１３】
2004252524.tif 000015
【図１４】
2004252524.tif 000016
【図１５】
2004252524.tif 000017
【図１６】
2004252524.tif 000018